(57)【要約】【課題】装置本体を短い筒体形状にできると共に、薬剤保持体を任意の大きさにでき、継続して長時間使用できる送風式薬剤放散装置とする。【解決手段】装置本体１の内部１ａに、モータ４で回転されるファン５と薬剤保持体６を取付けると共に、その装置本体１に、内部１ａを外部に開口する第１流通口２、第２流通口３を形成してファン５の回転によって空気が薬剤保持体６に触れて薬剤を揮散し、その薬剤を空気とともに大気に放散するようにし、前記装置本体１の外周に電源収容部７を設け、この電源収容部７に収容した電池８で前記モータ４を駆動するようにする。【選択図】図２
2010051179.tif 000002
【特許請求の範囲】
【請求項１】
筒体形状で第１流通口２と第２流通口３を有した装置本体１の内部１ａに、モータ４で回転されるファン５と薬剤保持体６を、そのファン５の回転によって前記第１・第２流通口２，３に亘って空気が流通して薬剤保持体６から薬剤が揮散し、かつその揮散した薬剤が空気とともに大気に放散されるように取付け、
前記装置本体１の外周に電池収容部７を設け、この電池収容部７内に電池８を装置本体１の長手方向に向けて収容し、その電池８で前記モータ４を駆動するようにしたことを特徴とする送風式薬剤放散装置。
【請求項２】
装置本体１と電池収容部７を別体とし、その電池収容部７を装置本体１の外周面１ｂに嵌合して取付けるようにした請求項１記載の送風式薬剤放散装置。
【請求項３】
装置本体１を小径部１ｆと大径部１ｇを有する筒体形状とし、その小径部１ｆにカバー体２１を取付けて電池収容部７とした請求項１記載の送風式薬剤放散装置。
【発明の詳細な説明】
【技術分野】
【０００１】
本発明は、殺虫剤、害虫忌避剤、芳香剤、消臭剤、除菌剤などの薬剤を大気に放散する送風式薬剤放散装置に関する。
【背景技術】
【０００２】
従来、ファンの回転によって空気を薬剤に触れさせて薬剤を揮散し、その揮散した薬剤を空気とともに大気に放散するようにした送風式薬剤放散装置が種々提案されている。
例えば、特許文献１に開示されたように、筒体形状の装置本体内に、モータで駆動されるファン、薬剤、電池を取付け、その電池を電源としてファンを回転することで通気孔を通して装置本体内に空気が流入し、その空気が薬剤に触れて薬剤を揮散し、その揮散した薬剤を通気孔を通して大気に拡散する送風式薬剤放散装置が知られている。
【０００３】
【特許文献１】実開昭６２−１７５８７９号公報
【発明の開示】
【発明が解決しようとする課題】
【０００４】
前述した送風式薬剤放散装置は、装置本体が筒体形状の単純かつ簡単な形状であり、形状的にも頑丈である。
また、設計的にも筒体形状の装置本体内を区画してモータ、ファン、薬剤、電池を収容するスペースを区画すればよく、構成部材も少なく、成型も容易である、等の多くの利点を有している。
しかしながら、モータ、ファン、薬剤、電池が装置本体の長手方向に順次配設してあるので、装置本体はそれらの取付けのスペースを長手方向に必要とし、装置本体は長い筒体形状となってしまう。
また、装置本体の内径は電池の大きさで決まり、ファン、薬剤の大きさが電池の大きさで決まり、任意の大きさとすることができない。
また、装置本体の内径には限度があるから、収容できる電池の本数に限度があり、薬剤放散装置を継続して使用できる時間が短い。
【０００５】
本発明の目的は、装置本体を短い筒体形状にできると共に、ファン、薬剤保持体の径方向の大きさを電池の大きさに関係なく任意の大きさにでき、しかも収容できる電池の本数が多く、継続して使用できる時間が長い送風式薬剤放散装置とすることである。
【課題を解決するための手段】
【０００６】
本発明は、筒体形状で第１流通口２と第２流通口３を有した装置本体１の内部１ａに、モータ４で回転されるファン５と薬剤保持体６を、そのファン５の回転によって前記第１・第２流通口２，３に亘って空気が流通して薬剤保持体６から薬剤が揮散し、かつその揮散した薬剤が空気とともに大気に放散されるように取付け、
前記装置本体１の外周に電池収容部７を設け、この電池収容部７内に電池８を装置本体１の長手方向に向けて収容し、その電池８で前記モータ４を駆動するようにしたことを特徴とする送風式薬剤放散装置である。
【０００７】
本発明においては、装置本体１と電池収容部７を別体とし、その電池収容部７を装置本体１の外周面１ｂに嵌合して取付ける送風式薬剤放散装置とすることができる。
【０００８】
このようにすれば、装置本体１と電池収容部７を別々に製作し、電池収容部７を装置本体１に嵌合して組み立てできるので、その作業が容易である。
【０００９】
本発明においては、装置本体１を小径部１ｆと大径部１ｇを有する筒体形状とし、その小径部１ｆにカバー体２１を取付けて電池収容部７とした送風式薬剤放散装置とすることができる。
【００１０】
このようにすれば、電池収容部７の装置本体１の外周面１ｂからの突出寸法を小さくできるし、装置本体１の外周面１ｂと電源収容部７の外周面を面一に連続して外観がスッキリと見栄え良くできる。
【発明の効果】
【００１１】
本発明によれば、装置本体１の外周に電池８が設けられるので、その電池８の長さに関係なく装置本体１を短くできるから、装置本体１を短い筒体形状とすることができる。
また、装置本体１の内径は電池８の大きさに関係なく任意の大きさにできるので、ファン５、薬剤保持体６の径方向の大きさを電池の大きさに関係なく任意の大きさにできる。
また、装置本体１の内径を大きくせずに多数本の電池８を収容することが可能で、継続して長時間使用できる。
また、多数本の電池８を収容するようにしても装置全体が径方向に大きくならず、コンパクトにできる。
【発明を実施するための最良の形態】
【００１２】
本発明の第１の実施の形態を図１〜図４に基づいて説明する。
装置本体１は筒体形状で、その装置本体１は、内部１ａを外部に開口する第１流通口２と第２流通口３を有している。
前記装置本体１の内部１ａには、モータ４と、このモータ４で回転するファン５と、薬剤保持体６が設けてある。
そして、モータ４でファン５を回転することで第１流通口２と第３流通口３に亘って空気が流れ、その空気が薬剤保持体６に触れて薬剤（有効成分）を揮散し、その揮散した薬剤が空気と共に大気に放散される。
【００１３】
前記装置本体１の外周に電池収容部７が設けてある。
この電池収容部７に電池８が収容され、その電池８を電源として前記モータ４が回転する。
【００１４】
このようであるから、装置本体１の長さはモータ４、ファン５、薬剤保持体６を設けることができる長さであれば良く、電池８の長さに関係なく装置本体１を短くできるから、装置本体１を短い筒体形状とすることができる。
また、装置本体１の内径を電池８の大きさに関係なく決定できるので、ファン５、薬剤保持体６の径方向の大きさを電池８の大きさに関係なく任意の大きさにできる。
また、収容できる電池８の本数が多く、継続して使用できる時間を長くできる。
【００１５】
次に、電池収容部７の詳細を説明する。
前記装置本体１の外周面１ｂに沿って周方向に等間隔で複数、例えば４つの電池収容部７が設けてある。
この各電池収容部７内に２本の電池８がそれぞれ収容され、その各電池８は装置本体１の長手方向に向いている。
【００１６】
このように、装置本体１の外周面１ｂに沿って電池８を、その装置本体１の長手方向に向けて周方向に順次収容するようにしたので、多数本の電池８を収容でき、しかも装置全体が径方向に大きくなることがなくコンパクトにできる。
【００１７】
また、装置本体１の外周に複数の電池収容部７が、周方向に等間隔で設けたことにより、装置全体の径方向の重量バランスが均一となる。
したがって、装置本体１を、その長手方向が上下方向に向かうように設置、つまり縦向きに設置したときに、装置全体が倒れることがなく、安定して縦向きに設置できる。
【００１８】
この実施の形態では、装置本体１の外周面１ｂに嵌合して取付けられる筒体７ａに、コ字状片７ｂを周方向に等間隔で複数、例えば４つ設け、この各コ字状片７ｂと筒体７ａとで空間部７ｃをそれぞれ形成し、その各空間部７ｃの長手方向一端開口部を底壁７ｄで閉塞し、長手方向他端開口部に蓋７ｅを着脱自在に取付けて電池収容部７としてある。
【００１９】
このようにすれば、装置本体１と電池収容部７を別々に製作し、装置本体１の外周面１ｂに嵌合して取付けることで組み立てできる。
【００２０】
前記装置本体１は、外側筒体１０と、この外側筒体１０の内周面１０ａにおける長手方向一端寄りに嵌合して取付けたモータ取付用の内側筒体１１を有している。
前記内側筒体１１は底板１２を備え、その底板１２にモータ４が取付けてあると共に、空気流通口１３が形成されている。
このようであるから、内側筒体１１にモータ４を取付けた状態で、その内側筒体１１を外側筒体１０の内周面１０ａに長手方向一端開口部から嵌合して、底板１２を内向突起１０ｂに当接することでモータ４、ファン５を装置本体１に取付けできるから、そのモータ４、ファン５の取付け作業が容易である。
【００２１】
前記内側筒体１１の開口端には網１４を有したリング体１５が嵌合して取付けてあり、その内側筒体１１内に人の指を入れることを防止し、誤ってファン５に人の指が触れることがないようにしてある。
【００２２】
前記薬剤保持体６は、通気性を有する容器６ａ内に粒状の薬剤含浸体６ｂを多数充填したもので、その容器６ａを装置本体１の内部１ａにおける長手方向他端寄りに嵌合して取付けてある。
【００２３】
この実施の形態においては、前記モータ４を交互に正逆回転駆動し、かつ正回転駆動する時間と逆回転駆動する時間を、それぞれ任意に設定するモータ駆動制御手段９を備えている。
そして、前記モータ４を正回転駆動してファン５を正転すると、図２に示す実線矢印で示すように、第１流通口２から第２流通口３に向けて空気が流れ、薬剤を空気とともに第２流通口３から放散する。
前記モータ４を逆回転駆動してファン５を逆転すると、点線矢印で示すように、第２流通口３から第１流通口２に向けて空気が流れ、薬剤を空気とともに第１流通口２から放散する。
つまり、モータ４は可逆モータを用いている。
【００２４】
このようであるから、装置本体１を１つの被害場面に、第１流通口２が第１被害空間に向かうと共に、第２流通口３が第２被害空間に向かうように設け、モータ４の正回転駆動と逆回転駆動を交互に繰り返してファン５を正転、逆転を交互に繰り返すことによって、薬剤保持体６に空気が触れることで揮散した薬剤の全量を第１被害空間と第２被害空間に交互に放散できる。
【００２５】
しかも、モータ駆動制御手段９によってモータ４の正回転駆動時間と逆回転駆動時間をそれぞれ任意に設定できるので、ファン５の正転時間、逆転時間を、第１・第２被害空間が必要とする薬剤の量に見合うように設定できる。
【００２６】
したがって、１つの被害場面における２つの被害空間に、各被害空間が必要とする量の薬剤をそれぞれ放散することができるから、各被害空間を十分に薬剤処理できる。
【００２７】
前記モータ駆動制御手段９は、モータ４を交互に正回転駆動、逆回転駆動するコントローラ９ａと、正回転駆動時間を設定する第１設定器９ｂと、逆回転駆動時間を設定する第２設定器９ｃを備えている。
前記第１・第２設定器９ｂ，９ｃは手で回転可能で、かつ回転することで駆動時間を設定してコントローラ９ａに入力する。
コントローラ９ａは、入力された正回転駆動時間だけモータ４に正回転通電し、その設定した時間が経過したら逆回転駆動時間だけモータ４に逆回転通電し、これを繰り返しする。
【００２８】
なお、ファン５は一方向にのみ回転するようにしても良い。
【００２９】
前述した実施の形態においては、ファン５と電池収容部７を装置本体１の長手方向中間部にそれぞれ設けてあるが、そのファン５は装置本体１の長手方向一端寄り部、他端寄り部のいずれかに設けることができるし、電池収容部７も装置本体１の長手方向一端寄り部、他端寄り部のいずれかに設けることができる。
要するに、ファン５、電池収容部７は装置本体１における長手方向任意の位置に設けることができるし、ファン５、電池収容部７を異なる位置に設けることもできる。
【００３０】
前述した実施の形態では、電池収容部７を複数設けたが、装置本体１の外周面１ｂに沿ったリング形状の１つの電池収容部７を設けても良い。
この場合には、リング形状の電池収容部７に電池８を周方向に連続して収容したり、放射状位置に設けたり、１部分にのみ設けることができる。
【００３１】
前述した実施の形態では、筒体７ａに複数のコ字状片７ｂと底壁７ｄを設けて電池収容部７とし、その電池収容部７を装置本体１と別体としたが、電池収容部７を装置本体１の外周面１ｂに一体に設けることができる。
例えば、装置本体１の外周面１ｂに前述したコ字状片７ｂを一体的に設けて空間部７ｃとし、その空間部７ｃの一端開口部を底壁７ｄで閉塞すると共に、他端開口部に蓋７ｅを設けて電池収容部７とする。
【００３２】
前述した実施の形態では、装置本体１の外周面１ｂと内周面を円形としたが、外周面１ｂを多角形状としても良い。
例えば、図５に示すように装置本体１の外周面１ｂを８角形状とする。
図５においては、外側筒体１０と内側筒体１１で装置本体１としてある。
また、装置本体１の外周面１ｂにプレート７ｆを一体的に設け、そのプレート７ｆの外周縁に筒７ｇを一体に設けて空間部７ｆを形成し、前述の電池収容部７としてある。
なお、装置本体１の内周面を多角形状としても良いがファン５の回転によって空気が流通するので、装置本体１の内周面は円形状が好ましい。
【００３３】
前述の実施の形態では、装置本体１の長手方向両端部を開口して第１流通口２、第２流通口３としたが、その第１・第２流通口２，３は装置本体１の外周面１ｂに開口するように形成しても良い。
例えば、図６に示すように、装置本体１を一端開口部が端板１ｃで閉塞し、他端開口部が開口した筒体形状とし、その装置本体１の一端寄りに孔１ｄを形成して第１流通口２とする。
または、図７に示すように、端板１ｃに孔１ｅを形成して第１流通口２とする。
そして、図６、図７においては、装置本体１の他端開口部を第２流通口３とし、その第２流通口３に薬剤保持体６が嵌合してある。
【００３４】
図６においては、空気流通孔１６を有するプレート１７にモータ４を取付け、そのプレート１７を装置本体１内に挿入して固着することでモータ４を取付けている。
また、コ字状片７ｂを装置本体１の外周面１ｂに一体に設けて電池収容部７を装置本体１に一体に設けてある。
【００３５】
図７においては、モータの取付け、電池収容部７は前述した図２に示すものと同様としてある。
また、薬剤保持体６は内側筒体１１の内周面に嵌合して取付けてある。
【００３６】
前述の各実施の形態では、装置本体１の外周面１ｂを長手方向全長に亘って凹凸のない平坦面で、電池収容部７の装置本体１の外周面１ｂからの突出寸法が大きくなるようにしてあるが、装置本体１の外周面１ｂを大径部と小径部を有する段付き形状とし、その小径部に電池収容部７を設けることで、その電池収容部７の装置本体１の外周面１ｂからの突出寸法を小さくすることができる。
【００３７】
例えば、図８、図９に示すように、装置本体１を、長手方向中間の小径部１ｆと長手方向両端の大径部１ｇを有し、長手方向中間に環状の凹陥部２０を備えた筒体形状とする。
前記装置本体１に、前記凹陥部２０を閉塞するカバー体２１を着脱自在に取付けて環状の空間部２２を形成して電池収容部７とする。
【００３８】
このようにすれば、装置本体１の大径部１ｇとカバー体２１を同一径とすることで装置本体１の外周面１ｂと電池収容部７の外周面を面一として突出寸法をゼロにできる。
【００３９】
この場合、カバー体２１が筒形状であると装置本体１への取付け、取り外しが困難であるから、カバー体２１を周方向に分割して取付ける。
例えば、図９に示すように装置本体１の小径部１ｆに取付片２３を周方向に間隔を置いて設け、その周方向に隣接した取付片２３間にカバー体２１をそれぞれ取付ける。
なお、図８と図９に示す実施の形態においては、第２流通口３側に薬剤保持体６が取付けてあるが、前述の他の実施の形態と同様に薬剤保持体６を第１流通口２側に取付けることができる。
【００４０】
前述の小径部１ｆは長手方向中間に限ることはなく、長手方向一端又は長手方向他端、長手方向両端に設けても良い。
例えば、図１０と図１１に示すように、装置本体１を長手方向一端側の大径部１ｇと長手方向他端側の小径部１ｆを有した段付きの筒体形状とする。
前記カバー体２１を、筒２１ａの長手方向一端周縁にリング状の端面板２１ｂを設けた形状とし、その端面板２１ｂを装置本体１の小径部１ｆの外周面に接すると共に、筒２１ａの長手方向他端周縁を装置本体１の大径部１ｇに当接してカバー体２１を装置本体１に取付けて空間部２２を形成し、電池収容部７とする。
【００４１】
前述の各実施の形態においては、装置本体１の大径部１ｇとカバー体２１を同一径として電池収容部７の装置本体１の外周面１ｂからの突出寸法をゼロとしたが、カバー体２１を装置本体１の大径部１ｇよりも大径として電池収容部７を装置本体１の外周面１ｂから突出するようにしても良い。
例えば、図１２に示すように、カバー体２１を、筒２１ａの長手方向両端縁にリング状の端面板２１ｂをそれぞれ設けた形状とし、その一方の端面板２１ｂが装置本体１の小径部１ｆと大径部１ｇを連続する段差部１ｈに当接するようにすることで、筒２１ａが大径部１ｇよりも突出するようにする。
【００４２】
前述した図８〜図１２に示す実施の形態では空間部２２を環状として周方向に連続した空間部２２としたが、周方向の一部分にのみ空間部２２を単数又は複数有するものとしても良い。
例えば、図１３に示すように、装置本体１の長手方向中間に凹部２４を周方向に間隔を置いて形成し、各凹部２４にカバー体２１をそれぞれ取付けて空間部２２を形成して電池収容部７とする。
【００４３】
前記カバー体２１は円弧片２１ｃの長手方向両端に端面板２１ｄ、周方向両側に側面板２１ｅを有する形状で、その円弧片２１ｃが装置本体１の大径部１ｇよりも突出している。
これに限ることはなく、円弧片２１ｃと装置本体１の大径部１ｇが面一に連続するようにしても良い。
【００４４】
前述した図８〜図１２に示す実施の形態では、装置本体１の小径部１ｆにファン５を設けたが、大径部１ｇにファン５を設けても良い。
【００４５】
前述の各実施の形態では薬剤保持体６を、第１流通口２と第２流通口３のどちらか一方側にのみ取付けしたが、第１・第２流通口２，３側の両方に薬剤保持体６をそれぞれ取付けても良い。
例えば、図１４に示すように、装置本体１を長手方向両端がそれぞれ開口した筒体形状とし、その一端開口を第１流通口２、他端開口を第２流通口３とする。
前記第１流通口２と第２流通口３に薬剤保持体６をそれぞれ取付ける。
この場合には、薬剤保持体６を、通気性を有すると共に、薬剤を含浸したシートをハニカム形状としたものが好ましい。
【００４６】
前述の各実施の形態ではファン５を１つとしたが、装置本体１に２つのファン５を取付けるようにしても良い。
例えば、図１５と図１６に示すように、装置本体１の内部１ａを仕切板３０で一側内部１ａ−１と他側内部１ａ−２に区画する。
前記装置本体１に、一側内部１ａ−１を外部に開口する第１流通口２、第２流通口３と、他側内部１ａ−２を外部に開口する第１流通口２、第２流通口３をそれぞれ形成する。
そして、装置本体１の一側内部１ａ−１、他側内部１ａ−２にモータ４、ファン５、薬剤保持体６をそれぞれ取付ける。
【００４７】
前記仕切板３０は、装置本体１の長手方向と平行に対して斜めで、この仕切板３０を境として装置本体１の径方向両側、例えば上と下に第１流通口２がそれぞれ形成され、この仕切板３０は各第１流通口２を流れる空気のガイドの役目を果たす。
これによって、各ファン５が回転することで一方の第１流通口２と一側内部１ａ−１、他方の流通口２と他側内部１ａ−２に亘って空気がスムーズに流れる。
【００４８】
前記電池収容部７は装置本体１の外周における第１流通口２の周方向両側にそれぞれ設けてあり、その第１流通口２を流通する空気の流れが電池収容部７で阻害されることがない。
【００４９】
また、図示は省略するが装置本体１の長手方向一端開口部を第１流通口２、長手方向他端開口部を第３流通口３とし、この装置本体１の内部１ａに２つのモータ４と２つのファン５を設けても良い。
この場合、２つのファン５の向きを長手方向に同一、又は反対とすることができるし、２つのファン５による空気の流れ方向を長手方向に同一、又は反対とすることができる。
【００５０】
また、図１７に示すように装置本体１の小径部１ｆには小径のファン５を設け、大径部１ｇには大径のファン５を設けて小径のファン５を回転した時の送風量が大径のファン５を回転した時の送風量よりも少なくしても良い。
このようにすれば、小径のファン５のみを回転したとき、大径のファン５のみを回転したとき、小径のファン５と大径のファン５を回転したときで送風量が異なるから、薬剤の単位時間当たりの揮散量、拡散範囲を調整することが可能である。
この場合には、第１流通口２、第２流通口３のどちらか一方、又は両方に薬剤保持体６を取付けできる。
【００５１】
前述の各実施の形態では装置本体１が一直線状であるが、鉤形状、Ｌ字形状、円弧形状などとすることもできる。
【図面の簡単な説明】
【００５２】
【図１】本発明の第１の実施の形態を示す薬剤放散装置の正面図である。
【図２】図１のＡ−Ａ断面図である。
【図３】図１の左側面図である。
【図４】図１の右側面図である。
【図５】本発明の第２の実施の形態を示す装置本体と電池収容部部分の断面図である。
【図６】本発明の第３の実施の形態を示す薬剤放散装置の断面図である。
【図７】本発明の第４の実施の形態を示す薬剤放散装置の断面図である。
【図８】本発明の第５の実施の形態を示す薬剤放散装置の断面図である。
【図９】図８のＢ−Ｂ断面図である。
【図１０】本発明の第６の実施の形態を示す薬剤放散装置の断面図である。
【図１１】図１０のＣ−Ｃ断面図である。
【図１２】本発明の第７の実施の形態を示す薬剤放散装置の断面図である。
【図１３】本発明の第８の実施の形態を示す装置本体と電池収容部部分の断面図である。
【図１４】本発明の第９の実施の形態を示す薬剤放散装置の断面図である。
【図１５】本発明の第１０の実施の形態を示す薬剤放散装置の側面図である。
【図１６】図１５のＤ−Ｄ断面図である。
【図１７】本発明の第１１の実施の形態を示す薬剤放散装置の断面図である。
【符号の説明】
【００５３】
１…装置本体、１ａ…内部、１ａ−１…一側内部、１ａ−２…他側内部、１ｂ…外周面、２…第１流通口、３…第２流通口、４…モータ、５…ファン、６…薬剤保持体、７…電池収容部、８…電池、１０…外側筒体、１１…内側筒体、１２…底板、１３…空気流通孔、１６…空気流通孔、１７…プレート、２０…凹陥部、２１…カバー体、２２…空間部、３０…仕切板。
【図１】
2010051179.tif 000003
【図２】
2010051179.tif 000004
【図３】
2010051179.tif 000005
【図４】
2010051179.tif 000006
【図５】
2010051179.tif 000007
【図６】
2010051179.tif 000008
【図７】
2010051179.tif 000009
【図８】
2010051179.tif 000010
【図９】
2010051179.tif 000011
【図１０】
2010051179.tif 000012
【図１１】
2010051179.tif 000013
【図１２】
2010051179.tif 000014
【図１３】
2010051179.tif 000015
【図１４】
2010051179.tif 000016
【図１５】
2010051179.tif 000017
【図１６】
2010051179.tif 000018
【図１７】
2010051179.tif 000019